(57)【特許請求の範囲】
【請求項１】
読出しヘッドを用いて担体に記録されたデータを処理する方法であって、前記データが、ＭＰＥＧフォーマットで符号化されたビデオフレームのシーケンスを具え、前記シーケンスが、Ｉフレーム、Ｐフレーム及びＢフレームを有し、前記担体及び前記読出しヘッドの相対的な通常速度でデータを読み出すことによって、単位時間ごとの公称フレーム数を発生し、前記公称フレーム数とは異なる単位時間ごとの他のフレーム数を生じるために、前記通常速度とは異なる速度で前記担体及び前記読出しヘッドを相対的に移動させるステップを具える方法において、
前記速度を、連続的に変更することができ、
単位時間ごとの前記他のフレーム数を計測し、
前記計測した数が前記公称フレーム数より小さい場合、単位時間ごとの平均フレーム数が前記公称フレーム数と等しい他のフレームシーケンスを発生するように、読み出した前記フレームの少なくとも一つのＢフレームを繰り返し、
前記計測した数が前記公称フレーム数より大きい場合、単位時間ごとの平均フレーム数が前記公称フレーム数と等しい他のフレームシーケンスを発生するように、読み出した前記フレームの少なくとも一つのＢフレームをスキップすることを特徴とする方法。
【請求項２】
前記速度が前記通常速度より高く、単位時間ごとの平均フレーム数が前記公称フレーム数と等しい他のフレームシーケンスを発生するように、少なくとも一つのＰフレーム及び前記少なくとも一つのＰフレームに関連した全てのＢフレームをスキップすることを特徴とする請求項１記載の方法。
【請求項３】
前記速度が前記通常速度より高く、読み出されたビデオフレームのうちの第１の数の連続するフレームを表示装置に送信し、その後、単位時間ごとの平均フレーム数が前記公称フレーム数と等しい他のフレームシーケンスを発生するように、第２の数の連続するフレームをスキップすることを特徴とする請求項１記載の方法。
【請求項４】
前記第１の数の連続するフレームが、第１の数のＧＯＰによって形成され、前記第２の数の連続するフレームが、第２の数のＧＯＰによって形成され、前記第１及び第２の数をそれぞれ整数とすることを特徴とする請求項３記載の方法。
【請求項５】
ＭＰＥＧフォーマットで符号化されるとともに担体に記録されたビデオフレームのシーケンスを読み出す装置であって、前記シーケンスが、Ｉフレーム、Ｐフレーム及びＢフレームを具え、
前記担体からフレームを読み出す読出しヘッドと、
前記担体及び前記読出しヘッドを調整可能な速度で互いに移動させる移動手段と、
フレームの他のシーケンスを発生する出力部と、
読み出されたフレームを受信するために前記読出しヘッドに結合するとともに、読み出された情報を前記出力部に選択的に供給して前記他のシーケンスを形成するために前記出力部に結合した制御装置と、
前記制御装置に結合され、読み出されたＢフレーム又はＰフレームとＢフレームとを一時的に記憶するメモリと、
前記制御装置に結合した速度選択スイッチとを具え、
前記制御装置が前記移動手段に結合され、前記速度選択スイッチの制御の下で、前記担体の移動速度が予め設定された公称速度の∝倍となるように前記移動手段を制御し、∝を、前記速度選択スイッチによって選択した速度係数とし、前記移動速度を、連続的に変更することができ、
前記読出しヘッドからデータストリームをモニタするとともに、前記データストリームの単位時間ごとのフレーム数を、前記公称速度における単位時間ごとのフレーム数を表す公称数と比較するように、前記制御装置を構成し、
単位時間ごとのフレーム数が前記公称数より小さい場合、読み出された前記フレームの少なくとも一つのＢフレームを前記出力部で繰り返して、前記フレームの前記他のシーケンスが、前記公称数に等しい単位時間ごとの平均フレーム数をするように、前記制御装置を構成し、
単位時間ごとのフレーム数が前記公称数より大きい場合、読み出された前記フレームの少なくとも一つのＢフレームをスキップして、前記フレームの前記他のシーケンスが、前記公称数に等しい単位時間ごとの平均フレーム数を有するように、前記制御装置を構成したことを特徴とする装置。
【請求項６】
単位時間ごとのフレーム数が前記公称数より大きい場合、少なくとも一つのＰフレーム及び前記少なくとも一つのＰフレームに関連した全てのＢフレームを前記他のシーケンスから省略して、前記フレームの前記他のシーケンスが、前記公称数に等しい単位時間ごとの平均フレーム数を有するように、前記制御装置を構成したことを特徴とする請求項５記載の装置。
【請求項７】
単位時間ごとのフレーム数が前記公称数より大きい場合、ビデオフレームの第１の数の連続するフレームを、読み出されたものとして前記出力部に供給するとともに、第２の数の連続するフレームを、読み出されたものとして前記他のシーケンスから省略して、前記フレームの前記他のシーケンスが、前記公称数に等しい単位時間ごとの平均フレーム数を有するように、前記制御装置を構成したことを特徴とする請求項５記載の装置。
【発明の詳細な説明】
本発明は、画像情報（映像）の読出し及び再生に関するものである。特に、本発明は、記録した画像情報の公称速度以外の速度での再生の一般的な問題に関するものである。
既知のように、ビデオ画像（フレーム）は、予め設定されたフォーマットによってテレビジョン受像機のような標準的な画像表示装置上に再生され、フレームの画素は同時ではなく順次再生される。更に詳しくは、水平ラインを書き込むために隣接する画素が連続的に書き込まれ、フレームの水平ラインが連続的に（飛び越されて）書き込まれる。このように１フレームを再生するのに要求される時間、すなわち、フレームを構成する全ての画像ラインを書き込むのに要求される時間は、ＰＡＬ形式では１／２５秒である。その結果、実際の再生時間が１００秒であるシーンは、２５００の連続するフレームのシーケンスに対応する。
磁気テープのような担体上にビデオ画像を記録するに当たり、担体の再生方向に対して傾斜した記録トラック上に連続する画素を互いに隣接して記録するアナログ方法が既知である。この場合、各記録トラックは１画像ラインに対応する。このタイプの記録によって、低速動作又は高速動作の再生の実現性が制限される。例えば、公称速度の５倍でシーンを再生することを所望する場合、担体を公称速度の５倍で読出しヘッドに移動させる。これは、画像表示装置による単一画像の再生に要求される時間に５枚の連続する画像を読出しヘッドに移動させることを意味する。この際に表示スクリーン上に再生される画像は、これら５枚の連続する画像の５フラグメントの形態をとり、これらフラグメントは、順次表示されるとともに、歪み画像部によって互いに分離される。
近年、ＭＰＥＧと称されるデジタル記録方法が開発されている。この方法において、画像に関する情報がデジタル的に符号化され及び圧縮されるとともに担体上に線形的に記録され、これは、連続的なビットが担体の書込み及び読出し方向に互いにライン上に配置されていることを意味すると理解すべきである。
このような記録を再生するとき、読み出されたビットは、連続した再生すべきフレームの画素に対応しない。復号化し及び１以上の連続するフレームの画像内容を再構成するために多数のビットを収拾する必要がある。これに要求されるバッファメモリ及び演算装置が再生装置又は表示装置に設けられる。読み出されるビット数は、平均して担体の公称再生速度で２５フレーム／秒に相当する。原理的には、担体を読出しヘッドにより速く又はより遅く移動させることができる。しかしながら、テレビジョン受像機のような標準的な表示装置は、この際に受信した信号を公称フレームに変換することができない。
本発明の目的は、ＭＰＥＧ方法によって行われたビデオ記録をテレビジョン受像機のような標準的な表示装置上で十分な範囲内で調整可能な再生速度で再生することができる方法及び装置を提供することである。
より詳しくは、本発明の目的は、このような再生装置のユーザが低速動作と高速動作との間で連続的に再生速度を変更することができるようにすることである。
本発明のこれら及び他の態様、形態及び利点を、図面を参照して本発明による方法及び装置の好適な実施例の説明によって明らかにする。
ＭＰＥＧ符号化はそれ自体既知であるので、ＭＰＥＧ記録手順の一部の主要な態様の簡単な説明のみを、図１を参照して行う。特に、フレームに対する三つの相違するタイプのＭＰＥＧの簡単な説明を行い、その符号化のタイプは、Ｉ符号化、Ｐ符号化及びＢ符号化と称され、リストした順にフレームごとのビット数を減少させる必要がある。
図１Ａは、磁気テープのような担体上に記録すべき連続したフレームのシーケンスを示し、個々のフレームにはシーケンス番号Ｎ，Ｎ＋１，Ｎ＋２等を付す。ＰＡＬ形式において、各フレームは１／２５秒の再生時間に対応する。
図１Ｂは、連続する記録領域Ｒ，Ｒ＋１，Ｒ＋２等を示す磁気テープ１０を線図的に示し、その領域は等しい長さを有し、すなわち、これら記録領域Ｒ，Ｒ＋１，Ｒ＋２等の各々は同一のビット数を有する。各フレームＮ，Ｎ＋１，Ｎ＋２等をデジタル符号化形態で個別に記録する場合、図１Ａに示したシーケンスの記録は、図１Ｂで要点を説明した形態をとる。
デジタル情報の読出し中及びこのように読み出された情報の再生装置への送信中にビット／秒で表現された情報の量を減少させるために、画像情報を読出し前に圧縮する。図１Ｃにおいてこれを線図的に示し、この場合、担体１０は、連続した記録領域Ｃ，Ｃ＋１，Ｃ＋２等を有し、その各々は、図１Ｂの対応する記録領域Ｒ，Ｒ＋１，Ｒ＋２等の長さより短い長さを有する。図１Ｃは特に、各フレームＮ，Ｎ＋１，Ｎ＋２等の情報が記録前に圧縮フレームに圧縮されるときに生じる情報に関するものである。このような場合、関連の元のフレームＮ，Ｎ＋１，Ｎ＋２等を、圧縮解除及び復号化によって各圧縮フレームＣ，Ｃ＋１，Ｃ＋２等から取り出すことができる。この形態を有する符号化及び圧縮フレームを、元（intrinsic）フレームすなわちＩフレームと称する。
シーケンスの連続したフレームが通常互いに非常に類似して生じる結果、情報量を更に減少させることができる。フレームに対して以前のものとの相違のみを記録する場合、このフレームを記録するのに要求される情報が少なくなる。このようなフレームを予測（predicted）フレーム、すなわち、Ｐフレームと称し、それは、フレーム部の動作情報を有する。図１Ｄは、フレームＮがＩフレームとして記録されるとともに次の２フレームＮ＋１及びＮ＋２をＰフレームとして記録する状況を線図的に説明する。フレームＮ＋１に対応するＰフレームの記録された情報を単に圧縮解除し及び復号化することによってフレームＮ＋１を再構成できないが、これに対して、フレームＮ＋１に対応するＰフレームの記録された情報とフレームＮに対応するＩフレームとを組み合わせる必要があることは、明らかである。しかしながら、２個の連続したフレームＮ及びＮ＋１を記録するのに比較的小さいビット数が要求されることも明らかである。
ＭＰＥＧは、双方向（bidirectional）フレームすなわちＢフレームと称される第３のタイプの符号化され及び圧縮されたフレームも有する。Ｂフレームを記録するためには、図１Ｅに線図的に示したようにＰフレームを記録する場合よりも少ないビット数が必要とされる。Ｂフレームに対応するオリジナルは、３個の符号化され及び圧縮されたフレーム、すなわち、そのＢフレームと、その直前のＩフレーム又はＰフレームと、その直後のＩフレーム又はＰフレームとの情報から再構成される。
記録すべき情報量は、連続するフレームの画像成分に依存する。例えば、１時間の画像シーケンスの再生には約５４０ギガビット（６７．５ギガバイト）が必要とされるが、この情報量を、ＭＰＥＧ記録によって約１０．８ギガビット（１．３５ギガバイト）まで圧縮することかできる。
このように符号化された映像記録の再生を、図２を参照して説明する。
図２Ａは、記録されたビデオフレームのシーケンスの一例を線図的に示す。図２Ａの上側に示すように、フレームに番号１，２，３．．．を連続的に付し、各フレームのタイプを図２Ａの下側で特定する。簡単のために、Ｉ，Ｐ及びＢフレームを同一サイズで示す。符号化構造ＩＢＢＰＢＢＰＢＢを再構成することができ、この場合、９個の連続するフレームのグループを「画像群」すなわちＧＯＰと称する。ＭＰＥＧにおいて、ＧＯＰ（すなわち、本例では９フレーム）の長さは可変である。さらに、ＧＯＰの構造、特に連続するＢフレームの個数は可変であり、かつ、記録すべきフレームの画像内容に依存する。また、フレームをＩフレームとして、Ｐフレームとして又はＢフレームとして記録すべきか否かが記録装置（ビデオレコーダ）によるシーケンスの記録中に決定されるが、この決定が行われることは本発明に関係ない。本発明の範囲内では、記録されたシーケンスが、幾分規則的な符号化構造のＩフレーム、Ｐフレーム及びＢフレームを有する。
この記録されたシーケンスを、テレビジョン受像機のような表示装置によって通常の方法（例えば、リアルタイムで）で再生すべき場合、符号化されたフレームは、再生装置（ビデオレコーダ）によって連続して読み出され、符号化形態で表示装置に供給される。各符号化フレームは、符号化タイプに関連する情報も有する。既に説明したように、Ｉフレームの記録は、Ｐフレーム及びＢフレームより多くの情報を伴い、その結果、Ｐフレームの読出し及び表示装置への送信は、Ｉフレームの読出し及び送信に比べて短い時間を要する。Ｂフレームの読出し及び送信は更に短い時間を要する。しかしながら、ＰＡＬフォーマットで読み出され及び送信される（Ｉ，Ｐ及びＢ）フレームの数は、平均すると１秒ごとに２５である。
表示装置において、受信されるフレームが圧縮解除され及び復号化され、その後、復号化されたフレームがバッファメモリに記憶される。記憶されたフレームはこのバッファメモリから読み出されるとともに表示され、ＰＡＬフォーマットでの各フレームの再生は、フレームがＩフレーム、Ｐフレーム又はＢフレームとして符号化されるか否かに関係なく１／２５秒要する。
記録されたシーケンスを通常の速度以外の速度で見る（高速動作再生又は低速動作再生）ことを所望する場合、読出しヘッドを横切る担体を単に高速に又は低速に移動させるだけでは十分ではない。この場合、実際にはバッファメモリに記憶されたフレーム数を通常の数より多く又は少なくし、同時に、標準的な表示装置では、フレームをこのバッファメモリから公称速度（ＰＡＬ形式で２５／秒）で読み出す。本発明は、後に説明するように、読出しヘッドを横切る担体を高速又は低速で移動させる（高速動作再生又は低速動作再生）ときでも、表示装置に存在する単位時間ごとの符号化されたフレームの平均数を通常の数に等しいままであるようにする方法を提供する。
担体１０上に記録された情報を読み出すのに十分な本発明による再生装置１００を図示する。再生装置１００は、読出しヘッド３０と、担体１０を読出しヘッド３０に移動させる手段２０とを有する。担体１０が磁気テープの場合、移動手段２０は、テープの巻取りリールを駆動させるモータを具える。担体１０が磁気ディスク又は光ディスクである場合、移動手段２０は、ディスクを回転させるモータを具える。
再生装置１００は、例えば適切にプログラムされた（ハードウェアに適合させた又はソフトウェアに適合させた）マイクロプロセッサを具える制御装置４０を具える。制御装置４０を移動手段２０に結合して、読出しヘッド３０を横切る担体２０を移動手段２０が移動させる速度を制御する。
さらに、制御装置４０を読出しヘッド３０に結合して、読出しヘッド３０によって読み出された情報を受信し、その情報を、既に説明したように、ビデオフレームについての符号化された情報とする。制御装置４０を再生装置１００の出力部１０１にも結合して、読出しヘッド３０によって読み出された情報を出力部１０１に選択的に供給し、それについては後に詳細に説明する。
再生装置１００は、制御装置４０に結合した再生速度選択スイッチ５０を有し、その切替をユーザによって行う。選択スイッチ５０は種々の形態を有する。ある形態において、選択スイッチ５０を、スケール目盛に沿って移動可能なポインタとして構成し、そのポインタは、抵抗トラックに沿って移動可能なワイパを駆動させる。他の形態において、選択スイッチ５０を文字数字式キーボードとすることができる。これら形態の組合せも当業者には明らかなように可能である。
選択スイッチ５０によって、ユーザは、制御装置４０に命令を与えて所望の再生速度を選択することができる。通常、ユーザは、図３でＮを付した通常の再生速度を選択する。制御装置４０を、後に公称速度と称する予め設定された一定の速度で移動させるように移動手段２０を制御するように適合させる。この際、読出しヘッドから受信したビデオ信号は、完全な形態で出力部１０１に転送される。
制御装置４０を、読出しヘッド３０から受信したデータのストリームをモニタするとともにこのデータストリームの単位時間ごとの平均フレーム数を測定するように適合させる。制御装置４０は、測定した平均と、後に公称値と称する予め設定された固定値とを比較する。この公称値を、ＰＡＬ形式の場合には２５／秒とする。測定した平均がこの公称値より大きい場合、制御装置４０は、担体を読出しヘッド３０に低速で移動させるように制御し、測定した平均がこの公称値より小さい場合、制御装置４０は、担体を読出しヘッド３０に高速で移動させるように移動手段２０を制御して、単位時間ごとに出力部１０１に供給されるフレーム数が公称値に等しくなるようにする。
ユーザが、公称速度以外の再生速度を選択することを所望する場合、ユーザは、選択スイッチ５０を駆動させて速度係数∝を入力する。以後、速度係数∝を、公称再生速度を変動させるべき係数として規定し、その結果、１より大きい速度係数∝は高速動作再生に対応し、０と１との間の速度係数∝は低速動作再生に対応する。
本発明の重要な態様によれば、速度係数∝を所定の範囲内で連続的に調整することができる。変形例において、ユーザは、速度係数∝に対して複数（比較的多数）の予め設定された値から選択することができる。
以後、本発明による低速動作再生の一例を、図２Ｂを参照して説明して、本発明の原理を明らかにする。図２Ｂは、Ｂフレームの各々を一度繰り返すことによって制御装置４０によって図２Ａに示したシーケンスから取り出したフレームのシーケンスを示す。この場合も、新たなシーケンスのフレームに、図２Ｂの上部に示したように番号１，２，３．．．を連続的に付し、各フレームのタイプを図２Ｂの下部に特定し、このフレームの元のシーケース番号（図２Ａ）を括弧内に示す。
したがって、本例では、１５フレームの新たなシーケンスを、９フレームを具える元のシーケンスから取り出す。重要な特徴は、新たなシーケンスがＭＰＥＧ形態に十分に従うことであり、その結果、制御装置４０は、この変更されたシーケンスを標準的な表示装置に直接供給することができ、その後、この表示装置は、この変更したシーケンスを直接復号化し及び表示することができる。この変更したシーケンス（１５フレーム）の再生時間は元のシーケンス（９フレーム）の再生時間より長く、その結果、低速動作再生が行われる。この場合の速度係数∝は、結果的に９／１５すなわち０．６となる。
１より小さい多数の「クリーン」速度係数∝が存在することは明らかである。図２Ａの例によって示したＧＯＰのシーケンスにおいて、ＧＯＰのＢフレームの１，２，３，４又は５の繰り返しによる９／１０，９／１１，９／１２，９／１３及び９／１４の係数を簡単に達成することもできる。更に多くの連続するＧＯＰを考察することによって他の分数を実現することができる。二つの連続するＧＯＰを考察すると、例えば、第１ＧＯＰ及び第２ＧＯＰで２Ｂフレーム及び３Ｂフレームをそれぞれ繰り返すことによって１８／２３の速度係数を得ることができる。
非常に小さい低速動作係数を、Ｂフレームを一度より多く繰り返すことによって達成することかできる。例えば、図２ＡのＧＯＰのＢフレームを連続的に４回送信する。この場合、結果的に生じる低速の係数を９／２７＝０．３３とする。しかしながら、更に小さい低速動作係数の場合、再生された画像が観察者に対して断続的な印象を与えることがない。
実際には、ＧＯＰの長さが一定である必要はなく、その結果、所定の所望の速度係数を任意のＧＯＰで実現することができるか否か確実でない。しかしながら、これは重要であり、本発明の重要な態様は、フレームの遅延された読出しの場合に、Ｂフレームを繰り返すことによって出力部１０１で公称数のフレームを平均して得ることができる。
ここで図３を参照する。制御装置４０を、低速動作再生モードにおいて公称速度の∝倍に等しい速度で移動手段を駆動させるように適合させる。その結果、読出しヘッドによって単位時間ごとに読み出されたフレームの平均数は、公称値の∝倍に等しくなる。既に説明したように、制御装置４０を、読出しヘッド３０からのデータストリームをモニタするとともに単位時間ごとに送信されたフレーム数を計数するように適合させる。計数した数が公称値より小さいことを確認する度に、制御装置４０は、出力部１０１でＢフレームデータをＸ回発生させる。このために、制御装置４０は、Ｂフレームデータを記憶するメモリ４１を具える。
原理的には、Ｘを２に選定する。しかしながら、選択した速度計数が非常に小さく、Ｂフレームデータを２回発生させることが公称フレーム速度を維持するのに十分でない場合、制御装置４０はＸを３又は４に増分する。
これによっても、出力部１０１に単位時間ごとに供給されるフレームの平均数が上記公称値に等しくなる。変更したシーケンスを表示装置側で受信するために変更することを要しない。その理由は、変更したシーケンスのフレームの平均数がフレームの公称数に常に等しく、変更したシーケンスがＭＰＥＧ形式に従うからである。表示装置は、受信したフレームの各々を「通常」に復号化するとともに、ソースに関係なく、すなわち、それが「通常」フレームであるか「繰り返し」フレームであるかに関係なく公称時間（ＰＡＬ形式で１／２５秒）でスクリーン上にそれを再生することができる。
さらに、原理的には、明らかに理想的な範囲内で任意の所望な低速動作係数を得ることができる。その理由は、各ＧＯＰで同数のＢフレームを繰り返す必要がないからである。任意の読出し速度（媒体の再生速度）に対して、Ｂフレームを所定の瞬時で繰り返して、長時間に亘って平均した、送信されたフレームの総数が公称数に常に等しくなることだけが重要である。この場合、ＧＯＰの実際の長さは関係ない。
以後、本発明による高速動作再生の一例を、図２Ｃを参照して説明して、本発明の原理を説明する。図２Ｃは、２番目のＢフレームごとにスキップすることによって制御装置４０によって図２Ａに示すシーケンスから取り出したフレームのシーケンスを示す。この場合も、新たなシーケンスに対して、図２Ｃの上部に示したように番号１，２，３．．．を付し、各フレームのタイプを図２Ｃの下部に特定し、このフレームの元のシーケンス番号（図２Ａ）を括弧内に示す。
したがって、本例では、６フレームの新たなシーケンスを、９フレームの元のシーケンスから取り出す。主要な特徴は、新たなシーケンスがＭＰＥＧ形式に十分従い、その結果、制御装置４０が、この変更したシーケンスを標準的な表示装置に直接供給することができ、その後、この表示装置が、この変更したシーケンスを直接復号化し及び表示することである。この変更したシーケンス（６フレーム）の再生時間は元のシーケンス（９フレーム）の再生時間より短く、その結果、高速再生が行われる。この場合の速度係数∝は結果的には９／６すなわち１．５になる。
１より大きい「クリーン」速度係数∝が多数あることは明らかである。図２Ａの例によって示したＧＯＰのシーケンスにおいて、ＧＯＰのＢフレームの１，２，３，４，５又は６をスキップすることによって、９／８，９／７，９／５，９／４及び９／３の係数を簡単に達成することもできる。更に多くの連続したＧＯＰを考察することによって、他の分数を実現することができる。２個の連続するＧＯＰを考察する場合、例えば、第１ＧＯＰ及び第２ＧＯＰにおいて２Ｂフレーム及び３Ｂフレームをそれぞれスキップすることによって１８／１３の速度係数を得ることができる。
このようにして達成することができる最大高速動作係数がＧＯＰのフレーム数に依存することは明らかである。Ｐフレームをスキップすることによって更に大きな高速動作係数も可能であるが、これは、このＰフレームに関連する全てのＢフレームを同様にスキップする場合のみ許容される。全てのＰフレームがスキップされると、本例ではＧＯＰの１フレームのみが表示される。この場合、結果的に得られる高速動作係数は９／１となる。
ここで図３を参照する。制御装置４０を、高速動作再生モードにおいて公称速度の∝倍に等しい速度で動作手段を駆動させるように適合させる。その結果、読出しヘッド３０による単位時間ごとに読み出されたフレームの平均数は、公称数の∝倍に等しくなる。既に説明したように、制御装置４０を、読出しヘッド３０からのデータストリームをモニタするとともに単位時間ごとに送信されるフレーム数を計測するように適合させる。計数した数が公称数より大きくなることを確認する度に、制御装置４０は、Ｂフレームのデータ（所望の場合にはＰフレームのデータ）を遮断し、その結果、このデータは出力部１０１に到達することができない。
これによって、出力部１０１に単位時間ごとに供給されるフレームの平均数が上記公称値に等しくなる。変更したシーケンスを表示装置側で受信するのに変更を必要としない。その理由は、変更したシーケンスのフレームの平均の数がフレームの公称数に常に等しく、かつ、変更したシーケンスがＭＰＥＧ形式に従うからである。表示装置は、受信したフレームの各々を「通常」に復号化するとともに公称時間（ＰＡＬ形式において１／２５秒）でそれをスクリーン上に再生することができる。
さらに、原理的には、明らかに理想的な範囲内で任意の所望の高速計数を得ることができる。その理由は、各ＧＯＰで同数のＢフレームをスキップする必要がないからである。任意の読出し速度（媒体の再生速度）に対して、Ｂフレームを所定の瞬時にスキップして、長時間に亘って平均した伝送されたフレームの総数を常に公称値にすることだけが重要である。ＧＯＰの実際の長さは関係ない。
本発明によって提案した方法の重要な利点は、再生された画像が乱れを示さず、画像成分が実際に高速動作を示すことである。既に説明したように、本発明による方法によって達成できる最大高速動作係数は、ＧＯＰのＢフレームの数（適用できる場合にはＰフレーム）に依存する。明らかに、Ｉフレームもスキップすることによってさらに大きい高速動作係数が可能である。しかしながら、このような高い再生速度（９以上の高速動作係数）で、それに応じてさらに高速に移動する画像に対して観察者はもはやついていくことができず、その結果、本発明によって与えられるこの可能性は実際的な利点をほとんど有しない。
本発明は、観察者に対して更に安定した画像を表示する変形例を提案する。この変形例によれば、第１の予め設定した数の連続したフレームを表示装置に送信し、その後、第２の予め設定した数の連続したフレームをスキップする。上記第１及び第２の数は、好適には整数のＧＯＰに対応する。１個のＧＯＰを送信した後９個の連続したＧＯＰをスキップする一例において、結果的に生じる高速動作係数は１０／１となる。
本発明によって提案したこの高速動作再生方法の利点は、観察者が普通の動画シーンを常に短時間感知し、連続的な画像シーンを時間の飛び越しによって互いに分離することである。時間飛び越しの長さはほとんど又は全く判断されず、その結果、この点に関して、５の高速動作係数の再生の観察は、５０の高速動作係数の再生の観察と同様のものとなる。
本発明は、上記実施の形態に限定されるものではなく、幾多の変更及び変形が可能である。
【図面の簡単な説明】
図１Ａ〜１Ｅは、ＭＰＥＧ符号化によってセーブされた情報量を示す。
図２ＡはＭＰＥＧシーケンスの一例を示す。
図２Ｂは、図２Ａのシーケンスから取り出された低速動作再生のシーケンスの一例を示す。
図２Ｃは、図２Ａのシーケンスから取り出された高速動作再生のシーケンスの一例を示す。
図３は、本発明による装置の線形ブロック図である。
【図１Ａ】
0003996204.tif 000002
【図１Ｂ】
0003996204.tif 000003
【図１Ｃ】
0003996204.tif 000004
【図１Ｄ】
0003996204.tif 000005
【図１Ｅ】
0003996204.tif 000006
【図２Ａ】
0003996204.tif 000007
【図２Ｂ】
0003996204.tif 000008
【図２Ｃ】
0003996204.tif 000009
【図３】
0003996204.tif 000010